(57)【要約】【課題】  屋外に設置される映像表示装置は、画面の高輝度化、均一化、コントラスト比等の向上が望まれる。この内高輝度化は消費電力の増大化につながる、省エネルギ化が要求される現今の状勢化では省エネルギ化と高輝度化の双方を実現した映像表示装置の開発が望まれている。  このような課題を解決するため、発光素子が配置されている面に太陽電池を配置し、この電力を利用した映像表示装置を提供する。【解決手段】  発光素子に入射する外部光を遮断するための庇に太陽電池を配置し、太陽電池が生成の電力を発光素子の駆動電源に供する。【選択図】        図１
2006308713.tif 000002
【特許請求の範囲】
【請求項１】
複数の発光手段が横方向に配列された横列を縦方向に複数並べて構成した映像表示画面と、前記発光手段に入射する外部光線を遮蔽するように前記横列に沿って設けられた庇と、該庇の上面と下面に配置された太陽電池と、該太陽電池により生成された電力および商用電源からの電力により、前記発光手段を駆動する発光手段駆動部を有する制御部とを備えた映像表示装置。
【請求項２】
前記発光手段ごとにその前記発光手段の光を受光する所定の前記太陽電池を決めておき、所定の出力レベルで前記発光手段を発光させ、所定の前記太陽電池の出力から前記発光手段の輝度を計測し、輝度が所定の範囲に無い場合に、前記発光手段が異常であると判断する輝度異常検出部を前記制御部が有することを特徴とする請求項１に記載の映像表示装置。
【請求項３】
複数の発光手段が横方向に配列された横列を縦方向に複数並べて構成した映像表示画面と、前記発光手段に入射する外部光線を遮蔽するように前記横列に沿って設けられた庇と、該庇の上面と下面に配置された太陽電池と、前記発光手段を制御する制御部とを有し、前記映像表示画面をマトリクス配置して大型画面を形成する複数のユニット映像表示装置と、前記大型画面上の表示映像を制御する上位コントローラとを備え、前記制御部が、前記太陽電池により生成された電力および商用電源からの電力により、前記発光手段を駆動する発光手段駆動部と、前記上位コントローラとの間で信号をやりとりする上位インタフェイスと、該インタフェイスにより受信した映像データに従って前記発光手段の発光を制御する制御回路とを有するものであることを特徴とする大型映像表示装置。
【請求項４】
前記発光手段ごとにその前記発光手段の光を受光する所定の前記太陽電池を決めておき、所定の出力レベルで前記発光手段を発光させ、所定の前記太陽電池の出力から前記発光手段の輝度を計測し、輝度が所定の範囲に無い場合に、前記発光手段が異常であると判断する輝度異常検出部を前記制御部が有し、前記上位コントローラが各前記ユニット映像表示装置に異常検出動作を指示し、この指示を受けた前記ユニット映像表示装置が前記輝度異常検出部を動作させてその結果を前記上位コントローラに送信することを特徴とする請求項３に記載の大型映像表示装置。
【請求項５】
前記上位コントローラが、前記ユニット映像表示装置を制御して前記映像表示画面に照射する周囲光の輝度である周囲光輝度データを計測する周囲光輝度計測部と、該周囲光輝度計測部により計測された前記周囲光輝度データに応じて、各前記ユニット映像表示装置に配信する前記映像データの輝度を調整する輝度調整部とを有し、前記制御部が、前記上位コントローラの指示により、前記発光手段が発光しないブランキングタイム内での前記太陽電池の出力から、その前記ユニット映像表示装置での前記周囲光輝度データを計測して前記上位コントローラに送信することを特徴とする請求項３に記載の大型映像表示装置。
【請求項６】
前記周囲光輝度データに応じて、全ての前記ユニット映像表示装置に配信する前記映像データの輝度を同じように調整することを特徴とする請求項５に記載の大型映像表示装置。
【請求項７】
前記上位コントローラが、前記ユニット映像表示装置を制御して前記ユニット映像表示装置ごとの表示輝度データを計測する表示輝度計測部と、該表示輝度計測部により計測された前記表示輝度データが、所定値以下の前記ユニット映像表示装置への前記映像データは、第２の所定値だけ輝度を大きくする輝度調整部とを有し、前記映像表示画面に輝度が一様な画像を表示する場合を少なくとも含む場合に、前記輝度調整部が輝度調整を行うことを特徴とする請求項５に記載の大型映像表示装置。
【発明の詳細な説明】
【技術分野】
【０００１】
この発明は、複数の発光ダイオード（ＬＥＤ）等の発光素子によって映像を表示する映像表示装置に関するもので、特に発光素子の駆動電源を太陽電池による電力を用いた映像表示装置および複数台の映像表示装置をマトリクス状に配置して構成した大型映像表示装置に係るものである。
【背景技術】
【０００２】
複数の発光素子を縦、横のマトリクス上に配置した映像表示装置は、最近、サッカー場や陸上競技場等のスポーツ施設、あるいは市街地建物壁等の屋外に設置される機会が増加している。
このような屋外に設置される映像表示装置には、高品質の画質とともに、低価格、省エネルギ、メンテナンス性向上等が要求されている。この内、高度化画質を得るためには、画質を左右する要素として、高解像度、高輝度、均一性（画面全体のコントラスト比が均一である）等が挙げられる。前記高輝度比は、そのまま消費電力の増大化につながり省エネルギ化が要求される現状勢下では、省エネルギと高輝度化とを兼ね合わせた装置を実現することが課題である。
また、均一性の向上を図る上で、各発光素子そのものの輝度のバラツキを少なくするため、あるいは大型画面に建物の影が投影されている部分とそれ以外の部分の輝度バラツキを少なくするためには、映像表示している状態で各発光素子の輝度を測定する必要があり、屋外に設置されている大型映像表示装置では大掛かりな測定器が必要となるために、表示装置を取り外し、別途の測定装置を接続、測定を行っていた。
またさらに、多数の発光素子の中から、劣化、異常発生した素子を検出することも容易でなく、この異常検出技術の開発も望まれていた。
【０００３】
従来、コントラスト比を改善する目的で、発光素子の斜め上方からの太陽光等の光入射を遮断するための庇と、反射光を抑制する補助庇を設けたものが示されている（例えば、特許文献１）。
【０００４】
またさらに、映像表示装置をマトリクス配置した大画面表示装置において、外部光の入射に応じた輝度、コントラスト等の明るさの位置的補正の設定により、各映像表示装置それぞれの明るさの調整情報を形成して各映像表示装置に供給する手段と、各映像表示装置それぞれに設けられ明るさの調整情報に応じて、当該映像表示装置の明るさを可変設定する手段を備えたものが示されている（例えば、特許文献２）。
【０００５】
【特許文献１】特開平１１−３０５６８９号公報
【特許文献２】特開平０５−１５３５７１号公報
【発明の開示】
【発明が解決しようとする課題】
【０００６】
しかしながら、前記特許文献１に示されたものは、単に発光素子に入射する太陽光等の外部光線を遮断し、コントラスト比を改善する構成を示したものであり、省エネルギ化、均一性向上、異常検出技術等に関しては何ら示されてない。
また、前記特許文献２に示されたものは、各映像表示装置それぞれの明るさを可変とするものであり、大型映像画面全面にわたる発光素子間のバラツキを減少した均一性は得られるものではなく、また省エネルギ化、異常検出技術等に関しては何ら示されてない。
【０００７】
この発明は、前記のような課題を解決するためになされたものであって、太陽光等の外部光線を遮蔽する庇の上・下部に、太陽電池を設け、太陽光などの外光および発光素子が発する光の光エネルギを電力に変換し、この電力を発光素子の駆動電源に供するとともに、前記太陽電池が発光素子毎の輝度を測定し、コントラスト比の制御を可能とし、また、発光素子の異常検出を容易とした映像表示装置、並びに大型映像表示装置を提供することを目的とする。
【課題を解決するための手段】
【０００８】
この発明に係る映像表示装置は、複数の発光手段が横方向に配列された横列を縦方向に複数並べて構成した映像表示画面と、発光手段に入射する外部光線を遮蔽するように横列に沿って設けられた庇と、該庇の上面と下面に配置された太陽電池と、該太陽電池により生成された電力および商用電源からの電力により、発光手段を駆動する発光手段駆動部を有する制御部とを備えたものである。
【０００９】
この発明に係る大型映像表示装置は、複数の発光手段が横方向に配列された横列を縦方向に複数並べて構成した映像表示画面と、発光手段に入射する外部光線を遮蔽するように横列に沿って設けられた庇と、該庇の上面と下面に配置された太陽電池と、発光手段を制御する制御部とを有し、映像表示画面をマトリクス配置して大型画面を形成する複数のユニット映像表示装置と、大型画面上の表示映像を制御する上位コントローラとを備え、制御部が、太陽電池により生成された電力および商用電源からの電力により、発光手段を駆動する発光手段駆動部と、上位コントローラとの間で信号をやりとりする上位インタフェイスと、該インタフェイスにより受信した映像データに従って発光手段の発光を制御する制御回路とを有するものである。
【発明の効果】
【００１０】
この発明に係る映像表示装置は、発光手段に入射する外部光線を遮蔽する庇の上・下面に太陽電池を設けるとともに、制御部とを備え、太陽電池が生成した電力を発光手段の駆動電源に供するので、太陽電池を設けたことによるスペースの増加をもたらすことがなく、省エネルギ化された映像表示装置となる。
【００１１】
この発明に係る大型映像表示装置は、ユニット映像表示装置を複数台マトリクス配置して大型画面を形成した大型映像表示装置であって、前記の発明と同様の構成の太陽電池が生成した電力を発光手段の駆動電源に供するとともに、上位コントローラとの間で信号の授受する上位インタフェースが受信した映像データに従って、発光手段の発光を制御するので、太陽電池を設けたことによるスペースの増加をもたらすことなく、省エネルギ化された大型映像表示装置となる。
【発明を実施するための最良の形態】
【００１２】
実施の形態１．
以下、この発明の実施の形態１を図に基づいて説明する。
図１は映像表示装置１００の概略構造を示す図で、図１（ａ）は正面図、図１（ｂ）は側面図、図１（ｃ）は発光素子部の拡大図である。図１は映像表示画面である表示ユニット１を有した１台の映像表示装置１００を示すものであり、この表示ユニット１は、例えば横軸方向（列）に３２画素、縦軸方向（行）に１６画素を有するものであるが、縦、横の画素数はこれに限定されるものではない。
前記表示ユニット１の行（縦方向）の上から数えて奇数行には、発光手段である例えば発光素子Ｂ（青）３と発光素子Ｇ（緑）２が、偶数行には、例えば発光素子Ｇ（緑）２と発光素子Ｒ（赤）４が配置されている。前記発光素子Ｇ（緑）２、発光素子Ｂ（青）３、発光素子Ｒ（赤）４を総称して以降発光素子５と称す。なお、発光素子５は、ＬＥＤ、ＣＲＴ等である。
前記横軸方向の発光素子５の列に沿って、この発光素子５に入射する太陽光などの外光および発光素子が発する外部光線を遮蔽する庇６が設けられている。さらに、この庇６の上面および下面には拡大図１（ｃ）に示すように太陽電池７が配置されている。この太陽電池７は外部光線から電力を生成するものである。太陽電池７は前記発光素子５に対応する位置に設けるのが最も望ましいが、この実施の形態１ではそれに限定されるものではない。また、この映像表示装置１００には、その映像表示装置１００の太陽電池７および映像の制御を行う制御部８を備えている。
【００１３】
図２に映像表示装置１００の制御部８のブロック結線図を示す。
次に図２の説明およびその各構成要素の機能を説明する。
図２において制御部８は、発光素子５、上位インタフェースからの信号を受信する制御回路１４、上位コントローラからのデータを受信する上位インターフェイス１５、商用電源からの信号を受信する商用電源インターフェイス１７、太陽電池の生成電力を昇圧する昇圧部１９（奇数ライン用昇圧部１９ａ、偶数ライン用昇圧部１９ｂ）、アナログスイッチ２０（奇数ライン用アナログスイッチ２０ａ、偶数ライン用アナログスイッチ２０ｂ）、太陽電池生成電力とＤＣ変換後の商用電源電圧をつき合わせる奇数ライン用電圧突き合せ部４０（奇数ラインＢ用電圧突き合せ部４０ａ、奇数ラインＧ用電圧突き合せ部４０ｂ）および偶数ライン用電圧突き合せ部４１（偶数ラインＧ用電圧突き合せ部４１ａ、偶数ラインＲ用電圧突き合せ部４１ｂ）により構成される。
【００１４】
次に動作について説明する。庇６に設けた太陽電池７は外部光線の光エネルギから電力を生成し、発光素子５の駆動に利用する。
発光素子５の横１列ごとに庇６を設けて、発光素子５の上下に太陽電池７が設けてあり、色ごとの発光素子特性が異なるため各色に応じた光を受るために色ごとに太陽電池７を分けて配置する。この場合、太陽電池７は発光素子５ごとに設けるのが最も望ましい。太陽電池７で生成した電力は、昇圧部１９で昇圧されアナログスイッチ２０を経てＤＣ／ＤＣ変換部２３で色ごと区別、昇圧される。
ここで、奇数ラインの発光素子Ｂ（青）３に着目すると、この発光素子Ｂ（青）３が発光した光と、太陽光などの外光を太陽電池７ａの対応するＢ用部分で受光し、奇数ライン用昇圧部１９ａで昇圧した後、奇数ライン用アナログスイッチ２０ａで奇数ラインＢ用ＤＣ／ＤＣ変換部２５ａを通って、Ｂ用ＡＣ／ＤＣ変換部２７ａで商用電源を直流に変換後に奇数ラインＢ用電圧突き合せ部４０ａで突き合せる。その後、奇数ラインＢ用の発光手段駆動部であるドライバＩＣ２９ａへ送られ、制御回路１４によって発光素子Ｂ（青）３を制御、駆動する。
【００１５】
なお、太陽電池７の特性から、周囲（外光）が明るい時と自発光が明るい時に、受けるエネルギは大きくなるが、映像表示装置１００としても周囲（外光）が明るければ、コントラスト向上の為に発光素子の輝度をより高くする必要があり消費電力が大きくなる。このような場合においても太陽電池７からの電力供給が増え、省エネルギ効果が高くなる。
例えば、概略として１ユニットの庇のサイズを奥行き１０ｍｍ×幅４００ｍｍ×１６段として有効面積６４，０００ｍｍ２、アモルファスシリコン太陽電池で単位面積（ｍｍ２）あたり、照度１２０，０００ｌｘ（晴天の昼で最も太陽の位置が高いときに相当する照度）で０．０４６ｍＷとした場合約３Ｗで、１ユニットあたりの消費電力をおよそ１００Ｗとすると約３％程度の電力が軽減される。なお、太陽電池については多結晶シリコン系太陽電池の他、単結晶シリコン系太陽電池、アモルファスシリコン太陽電池、微結晶シリコン系太陽電池、ポリシリコン系太陽電池や色素増感型太陽電池なども利用でき今後太陽電池の効率が上がればこの効果が更に大きくなる。以上のように映像表示装置に太陽電池を取り付けることで、太陽電池用の設置エリアを別に設けることなく、太陽電池から映像表示装置に電力を供給する省エネルギ化した映像表示装置を提供することが可能となる。
【００１６】
実施の形態２．
次に実施の形態２を図について説明する。この実施の形態２は、前記した実施の形態１の映像表示装置１００を、ユニット映像表示装置１００として、複数台のユニット映像表示装置１００をマトリクス配置して大型画面を形成した大型映像表示装置２００に関するものである。
なお、ここでユニット映像表示装置１００における太陽電池７は、発光素子５のすぐ近くにあり、発光素子５が発する光を受光する太陽電池７を発光素子５ごとに決めておく。このように決めた太陽電池７を、発光素子５に対応する太陽電池７と呼ぶ。この場合、必ずしも１対１に対応することは必ずしも必要なく、１個の太陽電池７に対して複数の発光素子５が位置してもよい。
図３に示す例では、大型映像表示装置２００は、前記実施の形態１のユニット映像表示装置１００を３０台マトリクス配置した大型画面を形成している。この大型映像表示装置２００は上位コントローラ１２によって制御され、この上位コントローラ１２は信号源１１からのビデオ信号等の映像データの送信や、大型画面全体の輝度制御がなされ、さらには、ユニット映像表示装置１００毎に異常発生の発光素子の検出指令、その記録等を行っている。大型映像表示装置２００を形成する各ユニット映像表示装置１００は、上位コントローラ１２から配信された映像データを、該ユニット映像表示装置１００の画素分のデータのみ取り込み、画素毎の表示、制御を行う。
また、図３はデータの流れも示しており、信号源１１からのビデオ信号等を上位コントローラ１２で受信し、各ユニット映像表示装置１００の発光素子５に合わせた配列変換などの処理を行い、大型映像表示装置２００へ映像データおよび異常検出他の制御用コマンドを送信する。大型映像表示装置２００は前記コマンドに従い、映像表示するとともに異常データおよび輝度データ等を上位コントローラに送信する。なお、上位コントローラは大型映像表示装置内に設置してもよく、また大型映像表示装置とは別の場所に設置してもよい。
【００１７】
図４は１台のユニット映像表示装置１００の制御部８のブロック結線図を示す。この図４は前記した実施の形態１の図２の制御部８にマイクロコンピュータ３１、温度センサ３２、不揮発性メモリ３３、メモリＡ３４、メモリＢ３５、演算処理回路３６を追加して設けたものであり、図２に記載の商用電源インタフェイス１７は記入省略している。
この実施の形態２は大型映像表示装置２００を構成する複数台の前記実施の形態１のユニット映像表示装置１００内の発光素子の異常検出を行うこともできる。異常検出を行わない通常の動作は図３のように大画面を構成して映像を表示しており、ユニット映像表示装置１００は上位コントローラ１２から該当する範囲の映像表示データを、図４に示す各ユニット映像表示装置毎に設けられた上位インターフェイス１５を通じて制御回路１４で受け取り、映像用メモリＡ３４、映像用メモリＢ３５に交互に書き込む。すなわち映像用メモリＡ３４にデータを書き込んでいる時には、映像用メモリＢ３５から映像データを読み出し、次にメモリを切替えて書込みと読み出しをおこなう。すなわち映像用メモリＡ３４と映像用メモリＢ３５をデータ書込み用、読み出し用に交互に切替えて使用する。読み出したデータは、ＲＧＢ色毎の発光手段駆動用のドライバＩＣ２９によって発光素子５を駆動し、ＲＧＢ三原色の混色により映像を表示する。
【００１８】
次に異常検出を行う場合の動きについて説明する。奇数ラインの発光素子Ｂ（青）３に着目すると、上位コントローラ１２から上位インターフェイス１５を通して異常検出を要求するコマンドを受け、輝度の異常検出部を構成する制御回路１４からの信号でアナログスイッチ２０ａおよびマイクロコンピュータ３１の処理を異常検出動作に切替える。この発光素子Ｂ（青）３を基準データで発光させ、発光素子Ｂ（青）３が発光した光を太陽電池７ａの対応するＢ用部分で受光し、奇数ライン用昇圧部１９ａで昇圧した後、奇数ライン用アナログスイッチ２０ａで奇数ラインＢ用フィルタ２１ａを通って、奇数ラインＢ用Ａ／Ｄコンバータ２３ａでデジタルデータ（輝度データ）に変換し、マイクロコンピュータ３１に取り込み、この輝度データとマイクロコンピュータ３１に設定されている異常検出の輝度閾値データとを比較して異常検出する。
前記基準データで発光させるとは、定格出力の７０〜８０％程度である所定の％の出力（輝度）で発光させることを意味する。
また、この時発光させるデータは、不揮発性メモリ３３に予め用意した幾つかのパターンから基準データを読み出して発光させることができる。
【００１９】
次に異常検出の詳細を図５、図６に示すフローチャートで説明する。
図５に示すＳ１〜Ｓ４は各ユニット映像表示装置１００の異常検出のフローの概略を示し、この図５のＳ２の詳細は図６にＳ２０１〜２１４として示している。
まず、図５に基づいて説明する。
Ｓ１にて上位コントローラ１２が各ユニット映像表示装置１００に対して異常検出コマンドを発信する。このコマンドを受信したユニット映像表示装置１００は、Ｓ２で制御回路からの信号によってマイクロコンピュータ３１が異常検出動作に切り替え、異常検出処理（太陽電池７の出力測定）を行って得た発光が、Ｓ３で異常と検出された発光素子のアドレスとその異常情報（例えば、輝度が上限値を越えているか、下限値を下回っているか）のデータを読み込むとともに、Ｓ４で前記データを上位コントローラ１２に前記異常情報を送信する。このことにより上位コントローラ１２はユニット映像表示装置１００内の異常発光素子のアドレスがわかる。
【００２０】
このＳ２の詳細を次の図６に基づいて説明する。
図６においてＳ２０１で不揮発性メモリ３３に記憶している異常検出の輝度閾値をマイクロコンピュータ３１が取り込み、許容される輝度の上限値Ｌｍａｘ、下限値Ｌｍｉｎの判定基準を設定する。この場合、この判定基準の設定は、大型映像表示装置２００の屋外設置の周囲環境（明るさ）の影響を大きく受けるため、環境に合わせた判定基準データベースを保持しておき、それに基づき設定する方法とか、データを変換（定率をかける）等の必要がある。
Ｓ２０２、Ｓ２０３でマイクロコンピュータ３１は、異常検出処理を行う発光素子のユニット映像表示装置内のアドレス（行、列）を初期化し、Ｓ２０４で異常発光の判別を行う対象となる１個の発光素子（行、列）を不揮発性メモリ３３から読み出す。Ｓ２０５で該当する発光素子を前記基準データで駆動、発光させ、Ｓ２０６でその輝度Ｌｘを太陽電池２で電力に変換し、Ａ／Ｄコンバータ２３でＡ／Ｄ変換、輝度データＬｘとする。Ｓ２０７でマイクロコンピュータ３１は温度センサ３２の値から補正を行い、Ｓ２０８では前記基準データで発行させた時に、前記上限値Ｌｍａｘを超える輝度データＬｘ発光素子が否かを判別する。
Ｓ２０９で上限値Ｌｍａｘを超える場合は、該発光素子のアドレス（行、列）と上限値オーバであることを不揮発性メモリ３３に保存する。
【００２１】
次にＳ２１０、Ｓ２１１で同様に下限値Ｌｍｉｎより低い輝度データＬｘの発光素子か否かを判別し、該発光素子のアドレス（行、列）と下限値Ｌｍｉｎを下回っていることを不揮発性メモリ３３に保存する。前記Ｓ２０３からＳ２１１までの処理を１ユニット映像表示装置分処理して、異常検出処理動作は完了する。なお、この実施の形態２に示すフロは発光素子１つ毎に処理（発光素子１つ毎に発行させ太陽電池で輝度Ｌｘを測定する）するようにしているが、異なるラインの複数の発光素子と太陽電池とを複数同時に使って処理することもでき、その場合、処理時間を短縮できる効果がある。
このようにこの実施の形態２による異常検出法では、庇に設けた太陽電池を利用して大型映像表示装置の発光素子の異常検出の自動化が可能となり、異常検出コストの低減、早期発見化、省力化等の優れた効果がある。
【００２２】
実施の形態３．
次に実施の形態３の大型映像表示装置２００の自動輝度制御について述べる。
この実施の形態３では、大型映像表示装置２００の周囲の明るさ（輝度）を太陽電池が検知して、その結果に基づいて画面の輝度を制御するものである。前記太陽電池は発光素子の発光と、太陽光や設置環境周囲の諸照明等を受光するため、発光素子の発光とそれ以外の光線とを区別するために、発光素子が発光していないブランキングタイム内の所定のタイミングにて周囲の光の輝度を測定し、その結果で各ユニット映像表示装置１００の発光素子の駆動制御を行うものである。なお、この実施の形態３でも、前記実施の形態２と同様の発光素子５と太陽電池７との配置関係を有するものとする。
【００２３】
この実施の形態３による上位コントローラは、周囲光輝度計測部と、輝度調整部とが設けられており、前記周囲光輝度計測部は、ユニット映像表示装置を制御して、映像表示画面に照射する周囲光の輝度である周囲光照度データを計測する。また前記輝度調整部は、前記周囲光輝度計測部により計測された周囲光輝度データに応じて各ユニット映像表示装置に配信する。この上位コントローラからの指示による自動輝度制御を以下図に基づいて述べる。前記ブランキングタイム内の所定のタイミングで周囲光を測定することを図７および図８に示すフローチャートによって説明する。
図７（ａ）は映像信号の垂直同期信号ＶＳＹＮＣを表す。なおＶＳＹＮＣはＮＴＳＣ（Ｎａｔｉｏｎａｌ  Ｔｅｌｅｖｉｓｉｏｎ  Ｓｙｓｔｅｍ  Ｃｏｍｍｉｔｔｅｅ）方式の映像処理では約６０Ｈｚであり、映像処理は全てこの垂直同期に合せて、映像データの処理をしている。従ってこのＶＳＹＮＣに同期して映像データを出力しており、図７（ｂ）のタイミングでデータ出力をする場合に、データを出力しない期間（ブランキングタイム）図７（ｃ）のブランキング内の所定のタイミング５１で周囲輝度を測定することで、発光素子自らの発光の影響を受けないようにする。
大型映像表示装置２００として大画面を構成している状態で、映像を表示していない時に、マイクロコンピュータ３１の指令で制御回路１４によりアナログスイッチ２０ａをフィルタ２１ａ（Ａ／Ｄコンバータ２３ａ）側へ切替えておき、図８に示すＳ２０、Ｓ２１で、周期光を測定する対象となる発光素子のユニット映像表示装置内のアドレス（行、列）の初期化し、Ｓ２２で前記図７に示したブランキングタイム内のタイミング５１で、太陽電池７で周囲光を電力に変えて昇圧部１９ａ、アナログスイッチ２０ａを経て、Ａ／Ｄコンバータ２３ａで輝度データとしてマイコン３１に取り込む。この時の値に、温度センサー３２の値に応じた温度テーブルで補正をし、ユニット映像表示装置ごとの輝度データＬｘとする。
Ｓ２３〜Ｓ２５で順次対象の発光素子の輝度データＬｘをとり、Ｓ２１〜Ｓ２５の処理で全発光素子の輝度データＬｘを加算しユニット映像表示装置１００の輝度値として上位コントローラ１２へ送信する。
全てのデータが上位コントローラ１２へ伝送されることによって、上位コントローラ１２で大画面を構成している全ユニット映像表示装置１００の輝度データを取込み、この値に応じて各ユニット映像表示装置１００への輝度指令を配信することでコントラスト（大画面全体の輝度制御）の自動制御が可能となる。
【００２４】
この制御は図９に示す照度比較データのように（Ａ）データΣ「全ユニット分の太陽電池受光輝度データ積算値」は周囲の明るさによって値が大きくなり、これに合せて大型映像表示装置２００の面面全体を明るくすることによってコントラストが向上し見やすくなる。従って（Ａ）データΣに応じて（Ｂ）自動輝度設定値「画面全体の表示輝度データ」を、（Ａ）データΣに対応したレベルに変換して制御することで、太陽電池７から得たデータが低い（暗い）時は、低い値で画面全体を表示させ、逆に太陽電池７から得たデータが高い（明るい）時は、高い値で画面全体を表示させるよう輝度指令を発信することで、周りの明るさに応じたコントラスト自動制御が可能となる。
また、全ユニット映像表示装置１００の積算データのみでなく、ある特定のユニット映像表示装置１００のみに着目し、例えば最下段中央のユニットのみとか、一番上の中央のユニットのみという具合に、ある代表するユニット映像表示装置１００の輝度データだけに着目したコントラスト自動制御ができることはいうまでもない。
【００２５】
実施の形態４．
次に実施の形態４について説明する。この実施の形態４は、屋外の大型映像表示装置２００において周囲の建物などの影になる部分を検出し、この部分のユニット映像表示装置１００の輝度を調整することにより大型画面全体の画像画質を向上させるものである。この実施の形態４の動作は、前記実施の形態３と同じく図７に示したブランキングタイム内の所定のタイミング５１で大画面を構成している全ユニット映像表示装置１００の輝度データを上位コントローラ１２で取込み、上位コントローラ１２の処理によって実現するものである。
輝度が一様な画像を表示している場合などを少なくとも含む所定の場合は、上位コントローラ１２からユニット映像表示装置１００ごとの周囲光による輝度データが設定されているが、例えば図１０に示すフローチャートのように、Ｓ２７において、太陽電池７で受光して得たユニット映像表示装置１００毎の輝度データを上位コントローラ１２の表示輝度計測部で受信し、Ｓ２８でユニット映像表示装置１００のマイクロコンピュータ３１が陰部と判断する基準値Ｌｍと、既に各ユニット映像表示装置１００に設定している輝度値Ｌｔおよび加算値Ｌ＋を設定しておき、Ｓ２９の比較で、受信した値が基準値Ｌｍよりも低い場合は、ユニットコントローラ１２の輝度調整部は既に設定している輝度値Ｌｔに加算値Ｌ＋を加えて再設定して該当するユニット映像表示装置１００に配信し、Ｓ３１で全ユニット映像表示装置１００分を処理したことを確認した後、Ｓ３２で全ユニット映像表示装置１００ヘ再度制御データ（輝度値）を伝送する。輝度が低いユニット映像表示装置１００に加算された輝度データを再設定することにより、ユニット映像表示装置１００毎の輝度の均一性を図ることができる。
これはすなわち全ユニット映像表示装置１００の輝度の分布によって、予め設けた基準よりも低い輝度データのユニットだけを自動的に明るくすることが可能という効果がある。
【００２６】
なお、前記実施の形態２〜４におけるマイクロコンピュータ３１の機能を制御回路１４内の演算処理回路３６で代替してもよい。
【産業上の利用可能性】
【００２７】
この発明は、映像表示装置やユニット映像装置をマトリクス配置した大型映像表示装置の映像画質向上技術に利用できる。
【図面の簡単な説明】
【００２８】
【図１】この発明の実施の形態１の映像表示装置の概略構造を示す図である。
【図２】この発明の実施の形態１の映像表示装置の制御部のブロック結線図である。
【図３】この発明の実施の形態２の大型映像表示装置を示す図である。
【図４】この発明の実施の形態２の大型映像表示装置の制御部のブロック結線図である。
【図５】この発明の実施の形態２の異常検出の概略フロー図である。
【図６】この発明の実施の形態２の異常検出ステップの詳細を示すフロー図である。
【図７】この発明の実施の形態３の周囲照度を測定するタイミング図である。
【図８】この発明の実施の形態３の周囲照度測定のフロー図である。
【図９】この発明の実施の形態３の輝度判定基準を示す図である。
【図１０】この発明の実施の形態４の輝度測定のフロー図である。
【符号の説明】
【００２９】
１  表示ユニット、５  発光素子、６  庇、７  太陽電池、８  制御部、
１２  上位コントローラ、１４  制御回路、１５  上位インターフェイス、
１９  昇圧部、３１  マイクロコンピュータ、２９，３０  発光素子駆動部、
１００  映像表示装置、２００  大型映像表示装置。
【図１】
2006308713.tif 000003
【図２】
2006308713.tif 000004
【図３】
2006308713.tif 000005
【図４】
2006308713.tif 000006
【図５】
2006308713.tif 000007
【図６】
2006308713.tif 000008
【図７】
2006308713.tif 000009
【図８】
2006308713.tif 000010
【図９】
2006308713.tif 000011
【図１０】
2006308713.tif 000012